(57)【特許請求の範囲】
【請求項１】
ニアロールとタッチロールとを有し、ウェブを順次ニアロールおよびタッチロールを経て外方へ送り出す巻取ユニットと、
巻取ユニットに対して近接自在に配置された旋回自在のターレットと、
ターレットに固着されるとともに、タッチロールに当接自在の一対の巻取軸と、
ターレットに固着され、一対の巻取軸を結ぶ直線に対して直交する直線上に配置され、ターレットの旋回により一対の巻取軸とともに旋回する一対の案内ローラ部と、
巻取ユニット近傍に揺動自在に配置され、ウェブを巻取ユニット近傍まで移動させる可動アームと、
巻取ユニットに設けられ、ウェブの停止時にウェブの幅方向へ移動するカッタと、
可動アームに設けられ、巻取ユニット側に位置する巻取軸に対してウェブを押付けるニップロールとを備え、
一対の巻取軸はウェブが巻取られた旧巻取軸と新巻取軸とからなり、
ターレットが１８０°旋回して旧巻取軸が巻取ユニットから離れ新巻取軸が巻取ユニット側にきて、巻取ユニットから送り出されたウェブが一方の案内ローラ部に巻付けられた際、巻取ユニットが新巻取軸に接近してタッチロールが新巻取軸に当接し、可動アームによって巻取ユニットと一方の案内ローラ部との間のウェブを新巻取軸に押付け、ウェブを停止させカッタをウェブの幅方向に移動させてウェブを切断することを特徴とする巻取軸切替装置。
【請求項２】
ニップロールは固定軸と、固定軸の外周に円周方向に移動自在に設けられ、互いの間に所定間隔をおいて配置された複数の移動体からなり、移動体間の固定軸にはウェブに対してエアを吹付けるエア吹出部が設けられていることを特徴とする請求項１記載の巻取軸切替装置。
【発明の詳細な説明】
【０００１】
【発明の属する技術分野】
本発明は印刷機またはコータ等に配置され、一対の巻取軸間においてウェブの切替を行なうことができる巻取軸切替装置およびニップロールに関する。
【０００２】
【従来の技術】
従来、印刷機またはコータ等に、巻取ユニットと一対の巻取軸とを有する巻取軸切替装置が配置されている。すなわち印刷機またはコータで処理されたウェブは、一方の巻取軸に巻取られた後、他方の巻取軸に切替えられて他方の巻取軸に巻取られていく。
【０００３】
このような巻取軸の切替時にはラインが一時的に停止して、ウェブの切替えおよびウェブの切断が行なわれる場合がある。
【０００４】
【発明が解決しようとする課題】
その際に、巻取軸には粘着テープが取付けられておらず、ウェブの切断後ウェブ先端を巻取軸に巻き込むようにしてウェブを巻取っている場合がある。
【０００５】
このように巻取軸にウェブ先端を巻き込むようにして巻取る時に、ウェブ先端が折曲がり、確実に巻取ることができない場合がある。
【０００６】
本発明はこのような点を考慮してなされたものであり、巻取軸にウェブ先端を巻込んで確実にウェブを巻取ることができる巻取軸切替装置を提供することを目的とする。
【０００７】
【課題を解決するための手段】
本発明は、ニアロールとタッチロールとを有し、ウェブを順次ニアロールおよびタッチロールを経て外方へ送り出す巻取ユニットと、巻取ユニットに対して近接自在に配置された旋回自在のターレットと、ターレットに固着されるとともに、タッチロールに当接自在の一対の巻取軸と、ターレットに固着され、一対の巻取軸を結ぶ直線に対して直交する直線上に配置され、ターレットの旋回により一対の巻取軸とともに旋回する一対の案内ローラ部と、巻取ユニット近傍に揺動自在に配置され、ウェブを巻取ユニット近傍まで移動させる可動アームと、巻取ユニットに設けられ、ウェブの停止時にウェブの幅方向へ移動するカッタと、可動アームに設けられ、巻取ユニット側に位置する巻取軸に対してウェブを押付けるニップロールとを備え、一対の巻取軸はウェブが巻取られた旧巻取軸と新巻取軸とからなり、ターレットが１８０°旋回して旧巻取軸が巻取ユニットから離れ新巻取軸が巻取ユニット側にきて、巻取ユニットから送り出されたウェブが一方の案内ローラ部に巻付けられた際、巻取ユニットが新巻取軸に接近してタッチロールが新巻取軸に当接し、可動アームによって巻取ユニットと一方の案内ローラ部との間のウェブを新巻取軸に押付け、ウェブを停止させカッタをウェブの幅方向に移動させてウェブを切断することを特徴とする巻取軸切替装置である。
【０００８】
本発明によれば、一対の巻取軸間において切替えを行なう際、まず一対の巻取軸がターレットにより旋回して、新しい巻取軸が巻取ユニット側へくる。その後可動アームによってウェブを巻取ユニットまで移動させ、ニップロールによってウェブを巻取軸に押付けながらウェブをカッタによって切断する。
【０００９】
次にニップロールの回転体によってウェブ先端近傍を保持した状態で、固定軸に設けられたエア吹出部からウェブ先端にエアが吹付けられて、ウェブ先端の折返しが修正される。
【００１０】
【発明の実施の形態】
以下、図面を参照して本発明の実施の形態について説明する。図１乃至図１４は本発明による巻取軸切替装置の一実施の形態を示す図である。
【００１１】
まず、図１（ａ）（ｂ）により、巻取軸切替装置について説明する。図１（ａ）（ｂ）に示すように、巻取軸切替装置はウェブ１５の巻堅さを調節するタッチロール６、ニアロール７およびガイドロール９を有する巻取ユニット３と、巻取ユニット３のタッチロール６に当接自在に配置されるとともに旋回するターレット１２に固着された一対の巻取軸１ａ，１ｂとを備えている。
【００１２】
このうち巻取ユニット３はウェブ１５を繰り出すものであり、ウェブ１５はガイドロール９からニアロール７を経てタッチロール６によって巻取軸１ａ，１ｂに巻取られるようになっている。
【００１３】
またターレット１２には、一対の巻取軸１ａ，１ｂに対して直交する位置に一対の案内ローラ部２，２が取付けられている。さらに巻取ユニット３の下方には、ウェブ１５を巻取ユニット３側へ移動させる可動アーム４が揺動自在に設けられている。
【００１４】
この可動アーム４の先端には、ウェブ１５を案内するガイドロール１０が設けられており、さらにガイドロール１０の近傍にはウェブ１５を巻取軸１ａ，１ｂに対して押付けるニップロール８が取付けられている。
【００１５】
次にニップロール８について図１２および図１３により説明する。図１２および図１３に示すように、ニップロール８は保持体１４の先端に固着された固定軸８ａと、固定軸８ａの外周に回転自在に設けられ、互いの間に所定間隔をおいて配置された複数の回転体（移動体）８ｂからなっている。また固定軸８ａのうち回転体８ｂ間には、ウェブ１５に対してエアを吹付けるエア吹出部１３が設けられている。
【００１６】
なお、回転体８ｂの代わりに、図１４に示すように、保持体１４の先端に固着された固定軸８ａの外周に、移動ベルト（移動体）１５を移動自在に設けてもよい。
【００１７】
また巻取ユニット３の上部には、カッタ５が設けられている。カッタ５はロッドレスシリンダ１１に固着されており、ウェブ１５の停止時にウェブ１５の幅方向に移動してウェブ１５を切断するようになっている。
【００１８】
次にこのような構成からなる本実施例の作用について説明する。
まず巻取軸１ａ，１ｂによるウェブ１５の巻取開始時について述べる。ウェブ１５は図示しない印刷機またはコータ等から巻取ユニット３まで送られ、その後一対の巻取軸１ａ，１ｂに巻取られる。この場合、巻取軸１ａ，１ｂには粘着テープが取付けられていないので、ウェブ１５の先端を巻取軸１ａ，１ｂに巻込む必要がある。このように粘着テープがない場合は巻取軸１ａ，１ｂ回りのウェブ１５に凹凸が付きにくくなり、ウェブ１５を平坦に巻取ることができる。
【００１９】
すなわちまず図２に示すように、旧巻取軸１ｂの回りにウェブ１５が所定の巻取径で巻取られる（図２参照）。この場合、巻取ユニット３のタッチロール６が、旧巻取軸１ｂのウェブ１５に当接して、ガイドロール９からニアロール７を経て送り出されるウェブ１５を旧巻取軸１ｂの回りに巻取るとともに旧巻取軸１ｂを回転させる。
【００２０】
次に図３に示すように、巻取ユニット３が旧巻取軸１ｂ回りのウェブ１５から離れる。次にターレット１２が反時計方向に１８０°旋回して、新巻取軸１ａが巻取ユニット３側にくる（図４）。このとき、巻取ユニット３からのウェブ１５が下方に位置する案内ローラ部２に巻付けられる。
【００２１】
次に図５に示すように巻取ユニット３が新巻取軸１ａに接近し（図５）、巻取ユニット３のタッチロール６が新巻取軸１ａに当接する（図６）。
【００２２】
次に図７に示すように、可動アーム４が反時計方向に揺動して可動アーム４のガイドロール１０によってウェブ１５を巻取ユニット３側へもってくる。
【００２３】
次に図８に示すように、可動アーム４のニップロール８がウェブ１５を新巻取軸１ａに押付ける。次に巻取ユニット３および一対の巻取軸１ａ，１ｂを含むライン全体が停止し、図９に示すように巻取ユニット３に設けられたカッタ５によって停止しているウェブ１５が幅方向に切断される。
【００２４】
その後タッチロール６によって新巻取軸１ａがわずかに逆回転し、ニップロール８の回転体８ｂによってウェブ１５先端近傍を保持した状態で固定軸８ａに設けられたエア吹出部１３（図１２および図１３参照）から新巻取軸１ａ側のウェブ１５先端にエアが吹付けられて、新巻取軸１ａ回りのウェブ１５先端の折返しが修正される。次に図１０に示すように、巻取ユニット３の運転が再開され、巻取ユニット３のタッチロール６によって新巻取軸１ａが回転を再開する。この場合、エアによってウェブ１５先端の折返しを修正することにより、ウェブ１５先端を巻取軸１ａに確実に巻込むことができる。
【００２５】
次に図１１に示すように、ニップロール８が新巻取軸１ａから離れるとともに、可動アーム４が時計方向に揺動して巻取軸１ａ，１ｂの切替作用が終了する。
【００２６】
以上のように本実施の形態によれば、ニップロール８の回転体８ｂによってウェブ１５先端近傍を保持した状態で、固定軸８ａに設けられたエア吹出部１３からウェブ１５先端にエアを吹付けるので、ウェブ１５の保持位置（回転体８ｂ）とエア吹付位置（エア吹出部１３）とを接近させることができる。このため、ウェブ１５先端の折返しが修正される。
【００２７】
【発明の効果】
以上のように本発明によれば、ウェブ先端近傍をニップロップロールの回転体によって保持した状態で固定軸に設けられたエア吹出部からウェブ先端にエアが吹付けられてウェブ先端の折返しが修正される。このようにウェブの保持位置とエアの吹付位置を接近させることができるので、ウェブ先端の折返しを確実に修正することができる。
【図面の簡単な説明】
【図１】本発明による巻取軸切替装置の一実施の形態を示す図。
【図２】巻取軸切替装置の作用を示す図。
【図３】巻取軸切替装置の作用を示す図。
【図４】巻取軸切替装置の作用を示す図。
【図５】巻取軸切替装置の作用を示す図。
【図６】巻取軸切替装置の作用を示す図。
【図７】巻取軸切替装置の作用を示す図。
【図８】巻取軸切替装置の作用を示す図。
【図９】巻取軸切替装置の作用を示す図。
【図１０】巻取軸切替装置の作用を示す図。
【図１１】巻取軸切替装置の作用を示す図。
【図１２】ニップロールを示す斜視図。
【図１３】ニップロールを示す側面図。
【図１４】他のニップロールを示す側面図。
【符号の説明】
１ａ，１ｂ  巻取軸
２  案内ローラ部
３  巻取ユニット
４  可動アーム
５  カッタ
１２  ターレット
１５  ウェブ
【図１】
0003642647.tif 000002
【図２】
0003642647.tif 000003
【図３】
0003642647.tif 000004
【図４】
0003642647.tif 000005
【図５】
0003642647.tif 000006
【図６】
0003642647.tif 000007
【図７】
0003642647.tif 000008
【図８】
0003642647.tif 000009
【図９】
0003642647.tif 000010
【図１０】
0003642647.tif 000011
【図１１】
0003642647.tif 000012
【図１２】
0003642647.tif 000013
【図１３】
0003642647.tif 000014
【図１４】
0003642647.tif 000015